(57)【要約】      （修正有）【課題】メガネを着用している使用者がマスクを装着してもメガネが曇りにくいマスク装着補助具を提供する。【解決手段】マスク装着補助具２０は、マスク１における左側端部１Ｌ及び右側端部１Ｒに対し係脱自在にそれぞれ係止されるクリップ２２Ｌ、２２Ｒと、クリップ２２Ｌ、２２Ｒ間を直線的に連結する略帯状のプレート２１と、プレート２１の長さ方向中間部に設けられ、ユーザＭの下唇Ｃ１と顎先Ｄ１の間の窪んだ部分の頤唇溝Ｄａに当接する当接領域２３と、を有する。プレート２１は、マスク１がユーザＭに装着された状態では、クリップ２２Ｌ、２２Ｒを介してそれぞれ左側端部１Ｌ、右側端部１Ｒに対し顔面Ａの前方側へ向かう押し出し力を作用させる押し出し力生成機能と、ユーザＭの唇Ｃ及び顎Ｄからマスク１を離間させ、その部分に下方への呼気通路Ｈを形成する通路形成機能と、を有する。【選択図】図１
0003233283.tif 000002
【実用新案登録請求の範囲】
【請求項１】
装着者の顔面に沿って略左右方向に延設されるマスクに取り付けて使用されるマスク装着補助具であって、
前記マスクにおける前記延設方向の一方側及び他方側にそれぞれ位置する第１被係止部及び第２被係止部に対し係脱自在にそれぞれ係止される第１係止部及び第２係止部と、
前記第１係止部と前記第２係止部との間を直線的に連結する略帯状の可撓性部材と、
前記可撓性部材の長さ方向中間部に設けられ、前記装着者の下唇よりも下方でかつ顎先よりも上方の被当接領域に当接する当接部と、
を有し、
前記可撓性部材は、
前記装着者に装着された状態のマスクにおいて、前記第１被係止部に対し前記第１係止部を介し前記顔面の前方側へ向かう押し出し力を作用させるとともに、前記第２被係止部に対し前記第２係止部を介し前記顔面の前方側へ向かう押し出し力を作用させる、押し出し力生成部と、
前記装着者の唇及び顎から前記マスクを離間させ、その離間した部分に下方への呼気通路を形成する、通路形成部と、
を備えることを特徴とするマスク装着補助具。
【請求項２】
請求項１記載のマスク装着補助具において、
前記当接部は、
前記装着者の頤唇溝に当接する頤唇溝当接部である
ことを特徴とするマスク装着補助具。
【請求項３】
請求項２記載のマスク装着補助具において、
前記当接部は、
前記可撓性部材に取り付けられた、滑り止め部材である
ことを特徴とするマスク装着補助具。
【請求項４】
請求項２記載のマスク装着補助具において、
前記当接部は、
前記可撓性部材に取り付けられた、緩衝部材である
ことを特徴とするマスク装着補助具。
【請求項５】
請求項３又は請求項４記載のマスク装着補助具において、
前記当接部は、
前記可撓性部材に対し着脱自在に設けられている
ことを特徴とするマスク装着補助具。
【請求項６】
請求項１乃至請求項５のいずれか１項記載のマスク装着具において、
前記可撓性部材は、
前記マスク装着補助具が前記マスクに対し取り付けられていない状態において湾曲している湾曲部材である
ことを特徴とするマスク装着補助具。
【請求項７】
請求項１乃至請求項６のいずれか１項記載のマスク装着具において、
前記第１係止部及び前記第２係止部は、前記マスクの前記第１被係止部及び前記第２被係止部をそれぞれ厚さ方向の両側から挟み込む、挟み込み部材であることを特徴とするマスク装着補助具。
【考案の詳細な説明】
【技術分野】
【０００１】
本考案は、マスクを装着者の顔に装着するためのマスク装着補助具に関する。
【背景技術】
【０００２】
従来、感染症予防等の観点から使用者の顔に装着されるマスクが知られている（例えば、特許文献１参照）。この従来技術のマスクでは、立体ソフトマスク周縁部に隙間が生じないよう細長パッドを設けて形成され、且つ口臭などの嫌な臭いが鼻に付かないよう口部と鼻部を遮断する立体カップマスクを設けている。
【先行技術文献】
【特許文献】
【０００３】
【特許文献１】実用新案登録第３１４７５８１号公報（図１等）
【考案の概要】
【考案が解決しようとする課題】
【０００４】
上記従来技術のマスクでは、鼻と頬との高低差のためにどうしてもマスクの上端部から息が漏れてしまう。このため、メガネとマスクを同時に着用しているとメガネが曇ってしまうという問題があった。
【０００５】
本考案の目的は、メガネを着用している使用者がマスクを装着してもメガネが曇りにくくすることができるマスク装着補助具を提供することにある。
【課題を解決するための手段】
【０００６】
上記目的を達成するために、本願考案は、装着者の顔面に沿って略左右方向に延設されるマスクに取り付けて使用されるマスク装着補助具であって、前記マスクにおける前記延設方向の一方側及び他方側にそれぞれ位置する第１被係止部及び第２被係止部に対し係脱自在にそれぞれ係止される第１係止部及び第２係止部と、前記第１係止部と前記第２係止部との間を直線的に連結する略帯状の可撓性部材と、前記可撓性部材の長さ方向中間部に設けられ、前記装着者の下唇よりも下方でかつ顎先よりも上方の被当接領域に当接する当接部と、を有し、前記可撓性部材は、前記装着者に装着された状態のマスクにおいて、前記第１被係止部に対し前記第１係止部を介し前記顔面の前方側へ向かう押し出し力を作用させるとともに、前記第２被係止部に対し前記第２係止部を介し前記顔面の前方側へ向かう押し出し力を作用させる、押し出し力生成部と、前記装着者の唇及び顎から前記マスクを離間させ、その離間した部分に下方への呼気通路を形成する、通路形成部と、を備えることを特徴とする。
【０００７】
本願発明においては、マスクの内側に取り付けたとき、可撓性部材が、第１係止部及び第２係止部を介して第１被係止部及び第２被係止部に押し出し力を作用させ、これによって装着者の唇及び顎からマスクを離間させる。言い換えれば、可撓性部材が、マスクを顔の前方側に押し上げる。これにより、マスクが顔から離間した部分に、口から下方へ向かう呼気通路を形成し、呼気が顔とマスクとの間から下方へ向かって抜けやすくなる。この結果、呼気が鼻とマスクの隙間から上方へ抜けるのを抑制できるので、メガネが曇りにくくすることができる。
【考案の効果】
【０００８】
本考案によれば、メガネを着用している使用者がマスクを装着してもメガネが曇りにくくすることができる。また、使用者の唇及び顎からマスクを離間させることができるため、使用者が喋りやすく呼吸しやすいという効果もある。
【図面の簡単な説明】
【０００９】
【図１】本考案の一実施形態によるマスク装着補助具を用いてマスクをユーザの顔に装着した状態を表す正面図である。
【図２】本考案の一実施形態によるマスク装着補助具を用いてマスクをユーザの顔に装着した状態を表す、左方からの側面図である
【図３】本考案の一実施形態によるマスク装着補助具を装着した状態のマスクを裏面側から見た図である。
【図４】本考案の一実施形態によるマスク装着補助具の構成を示す斜視図である。
【図５】本考案の一実施形態によるマスク装着補助具の、（ａ）側面図、および（ｂ）平面図である。
【図６】本考案の一実施形態の第一の変形例によるマスク装着補助具であり、その（ａ）側面図、および（ｂ）平面図である。
【図７】本考案の一実施形態の第二の変形例によるマスク装着補助具を示す斜視図である。
【図８】本考案の一実施形態の第三の変形例によるマスク装着補助具を示す斜視図である。
【図９】本考案の一実施形態の第三の変形例によるマスク装着補助具の装着状態を示す、左方からの側面図である。
【図１０】本考案の一実施形態の第四の変形例によるマスク装着補助具を示す裏側面から見た平面図である。
【図１１】本考案の一実施形態の第四の変形例によるマスク装着補助具の装着状態を示す正面図である。
【考案を実施するための形態】
【００１０】
以下、本考案の一実施形態を図面を参照して説明する。
本実施形態の適用対象であるマスク１をユーザＭ（装着者に相当）が顔面Ａに装着した状態を図１及び図２に示す。また、図３はマスク１を裏面側から見た平面図である。なお、以下の説明において、上下方向、前後方向、左右方向は、ユーザＭから見た上下方向、前後方向、左右方向に相当しており、図１、図２の各図中に適宜される矢印の方向に対応している。
【００１１】
マスク１は、左・右の耳掛け部１１Ｌおよび１１Ｒを有し、ユーザＭの左・右の耳ＥＬおよびＥＲにそれぞれ引っ掛けることで顔面Ａに沿って略左右方向に延設されるようにして、装着される。これにより、マスク１は、ユーザＭの鼻部Ｂの大部分と、唇部Ｃと、顎部Ｄと、頬部Ｆを覆う。マスク１は、図３に示すように、１枚の不織布シート材であるマスク材１０をほぼ水平に複数回織り返して形成されている。これにより、マスク１の後側面１ａには、少なくとも上側のプリーツ１２Ｔと、下側のプリーツ１２Ｄが形成されている。
【００１２】
マスク１の下側のプリーツ１２Ｄのすぐ上部には、本考案の一実施形態であるマスク装着補助具２０がユーザＭによって装着される。図４はこのマスク装着補助具２０の構成を示す斜視図、図５（ａ）は側面図、同図（ｂ）は平面図である。マスク装着補助具２０は、全体が軟性のプラスチック等の可撓性部材により一体形成されている。このマスク装着補助具２０は、略帯状のプレート２１を有している。プレート２１は、マスク１の横方向の長さよりもやや短く、例えば１５センチメートル程度の長さに形成されている。
【００１３】
プレート２１の前側面２１ａの左・右の端部２１Ｌ、２１Ｒに、それぞれ挟み込み部材として機能する第１係止部としてのクリップ２２Ｌ、第２係止部としてのクリップ２２Ｒが形成されている。これにより、プレート２１は、クリップ２２Ｌとクリップ２２Ｒとの間を直線的に連結する構成となっている。クリップ２２Ｌ、２２Ｒは各先端２２Ｌａ、２２Ｒａが前側面２１ａ側に湾曲する形状をしており、適度な弾性力で前側面２１ａとの間でマスク１における延設方向の左側（一方側に相当）に位置する左側端部１Ｌと、右側（他方側に相当）に位置する右側端部１Ｒとを、厚さ方向に両側からそれぞれ挟み込むことが可能に形成されている。
【００１４】
また、プレート２１の後側面２１ｂの長さ方向中間部は、当接領域２３（当接部及び頤唇溝当接部の一例）が設けられている。この当接領域２３は、マスク装着補助具２０をマスク１に装着した場合、図１および図２に示すように、ユーザＭの唇部Ｃの下唇Ｃ１よりも下方でかつ顎部Ｄの顎先Ｄ１よりも上方の窪んだ部分である被当接領域としての頤唇溝Ｄａに当接する。
【００１５】
このような構成のマスク装着補助具２０を使用する場合は、図３に示すように、マスク１の下側のプリーツ１２Ｄの上部にプレート２１の下側の辺を位置決めし、マスク１の第１被係止部としての左側端部１Ｌに左側のクリップ２２Ｌを、同じく第２被係止部としての右側端部１Ｒに右側のクリップ２２Ｒをそれぞれ係止させる。これにより、使用中のズレを低減できる。
【００１６】
マスク装着補助具２０を装着したマスク１は、左・右の耳掛け部１１Ｌおよび１１Ｒを、ユーザＭの左・右の耳ＥＬおよびＥＲにそれぞれ引っ掛けることで装着できる。マスク１を装着すると、図２に示すように、マスク装着補助具２０のプレート２１が顎部Ｄと頬部Ｆの形状に沿って湾曲し、その当接領域２３が顎部Ｄの頤唇溝Ｄａに当接する。これにより、プレート２１の位置を安定的に保持し、マスク１の姿勢を安定化することができる。
【００１７】
このとき、マスク装着補助具２０のプレート２１は、マスク１の左側端部１Ｌに対し左側のクリップ２２Ｌを介し顔面Ａの前方側へ向かう押し出し力を作用させるとともに、マスク１の右側端部１Ｒに対し右側のクリップ２２Ｒを介し顔面Ａの前方側へ向かう押し出し力を作用させる押し出し力生成機能を備えている。すなわち、プレート２１が、マスク１を顔の前方側に押し上げる。これにより、ユーザＭの唇部Ｃ及び顎部Ｄからマスク１を離間させ、口から下方へ向かう呼気通路Ｈを形成する通路形成機能を備えており、呼気が顔とマスク１との間から下方へ向かって抜けやすくなる。この結果、呼気が鼻部Ｂとマスク１の隙間から上方へ抜けるのを抑制できるので、メガネＧを装着していても、メガネＧが曇りにくくすることができる。
【００１８】
＜実施形態の効果＞
以上説明したように、本実施形態のマスク装着補助具においては、マスク１の内側に取り付けたとき、可撓性部材としてのプレート２１が、マスク１の左側端部１Ｌに対し左側のクリップ２２Ｌを介し顔面Ａの前方側へ向かう押し出し力を作用させるとともに、マスク１の右側端部１Ｒに対し右側のクリップ２２Ｒを介し顔面Ａの前方側へ向かう押し出し力を作用させる。すなわち、プレート２１が、マスク１を顔の前方側に押し上げる。これにより、ユーザＭの唇部Ｃ及び顎部Ｄからマスク１を離間させ、口から下方へ向かう呼気通路Ｈを形成し、呼気が顔とマスク１との間から下方へ向かって抜けやすくなる。この結果、呼気が鼻部Ｂとマスク１の隙間から上方へ抜けるのを抑制できるので、メガネＧを装着していても、曇りにくくすることができる。ユーザＭの唇部Ｃ及び顎部Ｄからマスク１を離間させることができるため、ユーザＭが喋りやすく呼吸しやすいという効果もある。
【００１９】
また、本実施形態では特に、マスク装着補助具の当接領域２３は、顎部Ｄの頤唇溝Ｄａに当接するので、プレート２１の位置を安定的に保持し、マスク１の姿勢を安定化することができる。
【００２０】
また、本実施形態では特に、係止部としてのクリップ２２Ｌ、２２Ｒは、各先端２２Ｌａ、２２Ｒａが前側面２１ａ側に湾曲する形状をしており、適度な弾性力で前側面２１ａとの間にマスク１を厚さ方向に挟み込むことが可能なように形成されている。これにより、マスク１への装着・取り外しを容易に行うことができる。
【００２１】
なお、本考案は、上記実施形態に限られるものではなく、その趣旨及び技術的思想を逸脱しない範囲内で種々の変形が可能である。以下、そのような変形例を順を追って説明する。
【００２２】
本実施形態の第一の変形例を図６に基づいて説明する。第一の変形例のマスク装着補助具３０は、図５で示したマスク装着補助具２０と同様に可撓性部材で形成されており、そのプレート３１の左・右の端部３１Ｌ、３１Ｒには、各先端３２Ｌａ、３２Ｒａが前側面３１ａ側に湾曲するクリップ３２Ｌ、３２Ｒが形成されている。
【００２３】
一方、プレート３１の後側面３１ｂの中央部３４付近には、当接部及び頤唇溝当接部としての滑り止め部材３３が両面テープなどを介して着脱自在に取り付けられている。この滑り止め部材３３は、例えば軟性のプラスチックなどの可撓性部材で形成されている。
【００２４】
さらに、滑り止め部材３３として、クッション材、スポンジパフなどの緩衝部材を着脱自在に取り付けるようにしてもよい。
【００２５】
以上のように、本変形例においては、マスク装着補助具３０において、当接部として滑り止め部材３３を設けるようにしたので、マスク１の装着時にプレート３１の位置を安定的に保持し滑ってずれにくくすることができ、マスクの姿勢を安定化することができる。また、滑り止め部材３３はプレート３１に対して着脱自在なので、使用後には取り外して交換したり、洗浄することができる。
【００２６】
さらにまた、滑り止め部材３３の材質をクッション材、スポンジパフなどの緩衝部材とすることにより、プレート３１をソフトな感触で肌に当てることができる。
【００２７】
次に本実施形態の第二の変形例を図７に基づいて説明する。第二の変形例のマスク装着補助具４０は、図５で示したマスク装着補助具２０と同様に可撓性部材で形成されており、そのプレート４１の左・右の端部４１Ｌ、４１Ｒには、各先端４２Ｌａ、４２Ｒａが前側面４１ａ側に湾曲するクリップ４２Ｌ、４２Ｒが形成されている。プレート４１の後側面４１ｂの中央部４４付近には、図６の例と同様の滑り止め部材４３（この変形例における当接部及び頤唇溝当接部の一例）が着脱自在に取り付けられている。
【００２８】
マスク装着補助具４０のプレート４１はその中央部４４付近が、外力を加えない自然状態で前方側に湾曲する形状となっている。
【００２９】
本変形例においては、マスク装着補助具４０のプレート４１はその中央部４４付近が前方側に湾曲する形状となっている。これにより、装着者Ｍの顔面Ａに沿ってプレート４１がよりフィットしやすくなる。
【００３０】
次に本実施形態の第三の変形例を図８および図９に基づいて説明する。第三の変形例のマスク装着補助具５０は、図５で示したマスク装着補助具２０と同様に可撓性部材で形成されており、そのプレート５１の左・右の端部５１Ｌ、５１Ｒには、各先端５２Ｌａ、５２Ｒａが前側面５１ａ側に湾曲するクリップ５２Ｌ、５２Ｒが形成されている（便宜上、図５とは左右反対に図示）。プレート５１の後側面５１ｂの中央部付近は、当接領域５３（本変形例における当接部及び頤唇溝当接部の一例）が設けられている。また、プレート５１の後側面５１ｂの左右端部付近には、マスク１への装着時に下方に延びる舌部５４Ｌ、５４Ｒが一体に形成されている。
【００３１】
このマスク装着補助具５０をマスク１に装着する場合には、図９に示すように、プレート５１の舌部５４Ｌ、５４Ｒをそれぞれマスク１の下側のプリーツ１２Ｄに上から差し込む。
【００３２】
本変形例によっても、上記実施形態と同様の効果を得る。またこれに加え、マスク１とマスク装着補助具５０をより強固に密着させることができる効果がある。
【００３３】
次に本実施形態の第四の変形例を図１０および図１１に基づいて説明する。ここでは、図１等で示した構成のマスク装着補助具２０をプリーツの無いタイプのマスク６０に装着する例を示す。図１０に示すように、マスク６０は、左右の２枚の生地６０Ｌおよび６０Ｒを中心部６０Ｃで縫い合わせることにより、立体構造に形成したものである。生地６０Ｌおよび６０Ｒには、それぞれ左右の耳ＥＬ、ＥＲに掛けるための切り抜き穴６１Ｌ、６１Ｒが形成されている。
【００３４】
このようなマスク６０にマスク装着補助具２０を装着する場合、マスク６０の裏面側にマスク装着補助具２０を配置し、その左側のクリップ２２Ｌをマスク６０の切り抜き穴６１Ｌの中心側端部に係止させ、一方、右側のクリップ２２Ｒをマスク６０の切り抜き穴６１Ｒの中心側端部に係止させる。
【００３５】
このようにマスク装着補助具２０を装着したマスクをユーザＭの顔に装着すると、図１１に示すように、マスク装着補助具２０のプレート２１が顎部Ｄと頬部Ｆの形状に沿って湾曲し、その当接領域２３が顎部Ｄの頤唇溝Ｄａに当接する。
【００３６】
このとき、マスク装着補助具２０のプレート２１は、マスク６０の切り抜き穴６１Ｌの中心側端部に対し左側のクリップ２２Ｌを介し顔面Ａの前方側へ向かう押し出し力を作用させるとともに、マスク６０の切り抜き穴６１Ｒの中心側端部に対し右側のクリップ２２Ｒを介し顔面Ａの前方側へ向かう押し出し力を作用させる押し出し力生成機能を備えている。これにより、図３で示したマスク１と同様に、ユーザＭの唇部Ｃ及び顎部Ｄからマスク６０を離間させ、口から下方へ向かう呼気通路Ｈを形成する通路形成機能を備えており、呼気が顔とマスク６０との間から下方へ向かって抜けやすくなる。この結果、上記実施形態と同様、呼気が鼻部Ｂとマスク６０の隙間から上方へ抜けるのを抑制できるので、メガネＧを装着していても、曇りにくくすることができる。
【００３７】
なお、図１０および図１１では、マスク装着補助具２０をマスク６０に装着する例を示したが、他の第一変形例、第二変形例、及び第三変形例でそれぞれ示したマスク装着補助具３０、マスク装着補助具４０及びマスク装着補助具５０であってもマスク６０に装着でき、同様の効果を得ることができる。
【００３８】
なお、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【００３９】
また、以上既に述べた以外にも、上記実施形態や各変形例による手法を適宜組み合わせて利用しても良い。
【００４０】
その他、一々例示はしないが、本考案は、その趣旨を逸脱しない範囲内において、種々の変更が加えられて実施されるものである。
【符号の説明】
【００４１】
１                マスク
１Ｌ              左側端部（第１被係止部の一例）
１Ｒ              右側端部（第２被係止部の一例）
１０              マスク材
１２Ｄ            下側のプリーツ
２０              マスク装着補助具
２１              プレート（可撓性部材の一例）
２２Ｌ            クリップ（第１係止部の一例）
２２Ｒ            クリップ（第２係止部の一例）
２３              当接領域（当接部、頤唇溝当接部の一例）
３３              滑り止め部材（緩衝部材、当接部の一例）
４３              滑り止め部材（緩衝部材、当接部の一例）
５３              当接領域（当接部、頤唇溝当接部の一例）
Ａ                顔面
Ｂ                鼻部
Ｃ                唇部
Ｃ１              下唇
Ｄ                顎部
Ｄ１              顎先
Ｄａ              頤唇溝（頤唇溝当接部、被当接領域の一例）
ＥＬ，ＥＲ        耳
Ｆ                頬部
Ｇ                メガネ
Ｈ                呼気通路
Ｍ                ユーザ（装着者の一例）
【図１】
0003233283.tif 000003
【図２】
0003233283.tif 000004
【図３】
0003233283.tif 000005
【図４】
0003233283.tif 000006
【図５】
0003233283.tif 000007
【図６】
0003233283.tif 000008
【図７】
0003233283.tif 000009
【図８】
0003233283.tif 000010
【図９】
0003233283.tif 000011
【図１０】
0003233283.tif 000012
【図１１】
0003233283.tif 000013